(57)【特許請求の範囲】
【請求項１】
シガレット（１１）用のパックであって、
シガレット（１１）の少なくとも１つのグループ（１９）が、パック内容物としてパック（１０）内に配置されており、
パック（１０）が、ボックス前壁（１７）、ボックス後壁（２１）及びボックス側壁（１８）を有するボックス部分（１２）を備え、
ボックス部分（１２）内に、カラー前壁（１５）と、これに隣接するカラー側壁（１６）とを有するカラー（１４）が配置され、これらカラー前壁とカラー側壁が、内側でボックス前壁（１７）と両ボックス側壁（１８）の領域に当接し、
少なくとも１つのシガレットグループ（１９）の少なくとも１つの寸法が、パック（１０）の内部空間の相応の寸法に一致せず、少なくとも１つの異なる寸法が、少なくとも１つの詰め物片（２０）によって相殺され、この詰め物片（２０）が、少なくとも１つのシガレットグループ（１９）と共にインナーラッパー（２２）に包み込まれており、
さらに、
ａ）詰め物片（２０）が、実質的にボックス部分（１２）の奥行全体にわたって延在し、両側を、一方ではボックス前壁（１７）及び／又はカラー前壁（１５）に支持され、他方ではボックス後壁（２１）に支持され、
ｂ）詰め物片（２０）が、実質的にボックス後壁の幅全体にわたって延在し、両側を、相対するボックス側壁（１８）に支持され、
ｃ）詰め物片（２０）が、三次元的な詰め物体（８８）を備え、この詰め物体が、包装材料から成るブランク（８５）の壁を折り畳むことによって構成され、詰め物体（８８）が、２つのシガレットグループ（１９）の間に配置され、少なくとも１つの異なる寸法を相殺し、
ｄ）詰め物体（８８）が、中空体として形成され、直立した少なくとも４つの縦エッジを備え、詰め物体（８８）が、横断面を好ましくは矩形又は梯形に形成されており、
ｅ）詰め物体（２０）の両側に、詰め物片（２０）のそれぞれ１つの折畳みフラップ（８７）が形成され、これら折畳みフラップが、ボックス後壁（２１）に沿って延在し、詰め物片を相応の方向に補強するため、ブランク（８５）の少なくとも１つの壁（９３）が、この壁（９３）の領域内で少なくとも部分的に、実質的にボックス後壁（２１）の幅全体にわたって一貫した詰め物片（２０）を構成するために、折畳みフラップ（８７）の平面へ折り畳まれており、
ｆ）詰め物体（８８）が、側壁（８９）を備え、これら側壁が、ボックス後壁（２１）から始まりボックス前壁（１７）の方向に延在し、詰め物体（８８）に隣接するシガレットグループ（１９）の前側のコーナー領域内のシガレット（１１）の上端が側壁（８９）に当接せず、容易に把持及び取り出し得るように、側壁（８９）が、ボックス部分（１２）の高さ全体にわたっては延在しないこと、
を特徴とするパック。
【請求項２】
パック（１０）内にカラー（１４）が配置されていること、及び、特にボックス前壁（１７）の方に向いた詰め物片（２０）の壁（２５）がカラー（１４）によって覆われるように、詰め物片（２０）が、カラーによって少なくとも部分的に覆われ、切欠き（８２）が、カラー前壁（１５）内に、パック（１０）からのシガレット（１１）の取出しを容易化するために、実質的にカラー前壁（１５）の幅全体にわたって延在するのではなく、詰め物片（２０）の位置に対して横に位置をずらして配置されていること、を特徴とする請求項１に記載のパック。
【請求項３】
パック（１０）内の各シガレットグループ（１９）のために、固有の切欠き（８２）が設けられていること、を特徴とする請求項２に記載のパック。
【請求項４】
詰め物片（２０）の壁（２７，２８）に、型打ち切込み（８３）が設けられ、これら型打ち切込みが、それぞれ１つのタブ（８４）を画定し、詰め物片（２０）の安定性を高めるために、特にタブ（８４）が詰め物片（２０）内へ折り畳まれているように、これらタブ（８４）が、それぞれの壁（２７，２８）に対して横に折り畳まれていること、を特徴とする請求項１に記載のパック。
【発明の詳細な説明】
【技術分野】
【０００１】
本発明は、請求項１の上位概念に記載の、シガレットの少なくとも１つのグループが、インナーラッパーに包み込まれ、折畳みタレットのポケット内へ導入され、そこでパック用のブランクに包装される、シガレット用のパックを製造するための方法に関する。更に、本発明は、請求項８の上位概念に記載の、相応の装置に関する。更に、本発明は、請求項１３の上位概念に記載のシガレット用の相応のパックに関する。
【背景技術】
【０００２】
法的規制に基づいて、シガレット用のパックの構造もしくはデザインにおける自主性は、個々の国で著しく制限されていることがあるか、このような制限を、近い将来に予想すべきである。特に、シガレット用のパックが所定の寸法を備えることしか許されていないので、パック内容物の相応の寸法へのパックの寸法の適合が、困難なるか、それどころか不可能になることから始めるべきである。
【先行技術文献】
【特許文献】
【０００３】
【特許文献１】欧州特許出願公開第２００８９３５号明細書
【特許文献２】独国実用新案第７６２９５５６号明細書
【特許文献３】英国特許第５８８７４１号明細書
【特許文献４】欧州特許出願公開第２７０３３０４号明細書
【発明の概要】
【発明が解決しようとする課題】
【０００４】
これを起源にして、本発明の根底にある課題は、異なる寸法を有するパック内容物を簡単に包装し得るようにするために、できるだけ簡単な解決策を提供する、シガレット用のパックを製造するための方法及び装置を提案することである。更に、相応のパックが提案されるべきである。
【課題を解決するための手段】
【０００５】
この課題を解決するために、本発明による方法は、請求項１の特徴を備える。従って、少なくとも１つのシガレットグループの少なくとも１つの寸法が、パックの内部空間の相応の寸法に一致しないこと、及び、少なくとも１つの異なる寸法が、少なくとも１つの詰め物片によって相殺され、この少なくとも１つの詰め物片が、少なくとも１つのシガレットグループと共にインナーラッパーに包み込まれること、を構成としている。
【０００６】
詰め物片の使用が、パックの寸法とシガレットグループの寸法の間の相殺を生じさせるための簡単な可能性であること、が分かった。加えて、インナーラッパー内に詰め物片を配置することは、実際に良好に実現し得るとわかった。
【０００７】
好ましくは、本発明の範囲内で、多角形の横断面を有し、少なくとも４つの縦エッジを備える詰め物片が使用される。
【０００８】
本発明の好ましい発展形によれば、少なくとも１つのシガレットグループと少なくとも１つの詰め物片が、コンベヤの相応の収容部に、特にポケットチェーンコンベヤのポケットの別々の収容部に、挿入されること、及び、少なくとも１つのシガレットグループと少なくとも１つの詰め物片が、共にその縦方向に、次のコンベヤの共通の収容部へ、特に引渡しタレットへ、引き渡され、コンベヤから、インナーラッパーにパック内容物を包み込むための装置の方向に引き渡されること、を構成とし得る。
【０００９】
本発明の好ましい実施形態は、１つの又は各詰め物片と１つの又は各シガレットグループが、別々に及び／又は相前後してポケットチェーンコンベヤのポケットの別々の収容部へ挿入されること、及び、ポケットの内容物が、パック内容物としてその縦手方向に共に、次の引渡しタレットに押し出され、引渡しタレットが、１つの又は各詰め物片と１つの又は各シガレットグループ用の共通のポケットを備えること、を構成とする。
【００１０】
特に、詰め物片が、特に詰め物片用の１つ又は複数の引渡しタレットによって、マルチトラック式に供給されること、複数の詰め物片が、同時にポケットチェーンコンベヤの隣接するポケットの収容部に挿入されること、及び、シガレットの複数のグループが、特にシガレットマガジンから、同時に同じポケットの相応の収容部に挿入されること、を構成とし得る。
【００１１】
別の特色は、１つの又は各詰め物片が、包装材料から成るブランクからスリーブ状に形成され、ブランクの少なくとも１つの壁の領域で、ブランクの互いにオーバーラップする折畳みフラップが、特に接着によって、互いに結合されており、スリーブのブランクのオーバーラップする折畳みフラップがパックの背面の領域に配置されているように、スリーブが、１つの又は各シガレットグループと合流させらされ、パック内に配置されること、にあり得る。
【００１２】
特に、折畳みフラップが、詰め物片の、パックの背面の側の端面の領域で、全面的にオーバーラップしているか、２層式に配置されていること、を構成とし得る。
【００１３】
本発明の好ましい実施形態では、１つの詰め物片とシガレットの複数のグループが、コンベヤのポケットに挿入され、パック内容物を構成すること、を構成とし得る。
【００１４】
本発明による装置は、請求項８の特徴を備える。従って、少なくとも１つのシガレットグループの少なくとも１つの寸法が、パックの内部空間の相応の寸法に一致しないこと、及び、少なくとも１つの異なる寸法が、少なくとも１つの詰め物片によって相殺され、この詰め物片が、少なくとも１つのシガレットグループと共にインナーラッパーに包み込まれていること、を構成としている。
【００１５】
本発明の好ましい発展形によれば、１つの又は各詰め物片とシガレットの１つの又は各グループが、コンベヤのポケットに挿入可能であり、ポケットが、それぞれ１つの詰め物片又はシガレットのグループ用の複数の収容部を備えること、及び、ポケットの内容物、即ち１つの又は各詰め物片とシガレットの１つの又は各グループから成る編成が、共通のスライドによって共にもしくは同時にポケットから押出し可能であること、を構成とし得る。
【００１６】
特色は、ポケットの収容部が、ポケットの壁によって互いに区画されていること、及び、スライドが、収容部の数に応じた数のスライド要素を備え、これらスライド要素の当接面が、それぞれ、収容部の横断面もしくは相応の詰め物片もしくはシガレットのグループの横断面に実質的に適合されている及び／又は一致し、少なくとも１つの収容部の少なくとも１つの壁に、押出し方向に延在する、特に一貫した溝状の凹部が形成され、これら凹部に、それぞれ、スライドの部分もしくは相応のスライド要素が入り込み、これら凹部が、相応の収容部の内容物、特に詰め物片の横断面を超えて横に、即ち押出し方向に対して横に突出すること、にあり得る。
【００１７】
特に、スライド要素が、ポケット外で、結合要素によって１つのスライドへ結合されていること、ポケットの壁が、押出し方向に延在する一貫したスリット状の切欠きを備え、これら切欠きを、それぞれ１つの結合要素が通過すること、及び、個々のシガレットが収容部から脱出し得ないように、切欠きの幅が寸法設定されていること、を構成とし得る。
【００１８】
別の特色は、詰め物片とシガレットのグループが、コンベヤにマルチトラック式に供給され、これにより、それぞれ複数の詰め物片とシガレットグループが、同時にコンベヤに引渡し可能であること、複数のパック内容物が、コンベヤから同時に次のコンベヤ、特に引渡しタレットに引渡し可能であること、及び、パック内容物が、個々にコンベヤから押出し可能であり、詰め物片、シガレットグループ及びパック内容物が、それぞれ縦方向にコンベヤに供給される及び／又はコンベヤの間で引渡し可能である及び／又はコンベヤから押出し可能であること、にあり得る。
【００１９】
シガレット用の本発明によるパックは、請求項１３の特徴を備える。従って、少なくとも１つのシガレットグループの少なくとも１つの寸法が、パックの内部空間の相応の寸法に一致しないこと、及び、少なくとも１つの異なる寸法が、少なくとも１つの詰め物片によって相殺され、この詰め物片が、少なくとも１つのシガレットグループと共にインナーラッパーに包み込まれていること、を構成としている。
【００２０】
パックの好ましい発展形によれば、パック内にカラーが配置されていること、及び、特にボックス前壁の方に向いた詰め物片の壁がカラーによって覆われるように、詰め物片が、カラーによって少なくとも部分的に覆われ、好ましくは、切欠きが、カラー前壁内に、パックからのシガレットの取出しを容易化するために、実質的にカラー前壁の幅全体にわたって延在するのではなく、詰め物片の位置に対して横に位置をずらして配置されていること、を構成とし得る。好ましくは、パック内の各シガレットグループのために、固有の切欠きが設けられていること、を構成とし得る。
【００２１】
更に、詰め物片の壁に、型打ち切込みが設けられ、これら型打ち切込みが、それぞれ１つのタブを画定し、詰め物片の安定性を高めるために、特にタブが詰め物片内へ折り畳まれているように、これらタブが、それぞれの壁に対して横に折り畳まれていること、を構成とし得る。
【００２２】
別の特色は、詰め物片が、実質的にボックス後壁の幅全体にわたって延在し、両側を、相対するボックス側壁に支持されること、にあり得る。このようにして、詰め物片は固定され得る。
【００２３】
好ましくは、詰め物片が、実質的にボックス部分の奥行全体にわたって延在し、両側を、一方ではボックス前壁及び／又はカラー前壁に支持され、他方ではボックス後壁に支持されること、を構成としている。これによっても、詰め物片の固定が行なわれる。
【００２４】
別の特色は、詰め物片が、三次元的な詰め物体を備え、この詰め物体が、包装材料から成るブランクの壁を折り畳むことによって構成され、詰め物体が、両シガレットグループの間に配置され、少なくとも１つの異なる寸法を相殺すること、にあり得る。
【００２５】
好ましくは、詰め物体が、中空体として形成され、直立した少なくとも４つの縦エッジを備え、詰め物体が、横断面を好ましくは矩形又は梯形に形成されている。
【００２６】
好ましい形成は、詰め物体の両側に、詰め物片のそれぞれ１つの折畳みフラップが形成され、これら折畳みフラップが、ボックス後壁に沿って延在すること、及び、ブランクの少なくとも１つの壁が、この壁の領域内で少なくとも部分的に、実質的にボックス後壁の幅全体にわたって一貫した詰め物片を構成するために、折畳みフラップの平面へ折り畳まれていること、を構成としている。
【００２７】
更に、詰め物体が、側壁を備え、これら側壁が、ボックス後壁から始まりボックス前壁の方向に延在し、少なくとも１つのシガレットグループのシガレットの上端が側壁に当接しないように、側壁が、ボックス部分の高さ全体にわたっては延在しないこと、を構成とし得る。
【００２８】
別の特色は、詰め物片が、好ましくは糊によって、特にボックス後壁の領域内のボックス部分と結合され、この糊が、好ましくはインナーラッパーの開口の領域に位置決めされていること、にあり得る。
【００２９】
本発明の好ましい実施例を、以下で図面により説明する。
【図面の簡単な説明】
【００３０】
【図１】開放した蓋を有するシガレット用のパックの立体図
【図２】図１によるパックの切断平面ＩＩ−ＩＩに沿った水平断面図
【図３】図１及び２によるパックのバリエーション
【図４】図１及び２によるパックのバリエーション
【図５】図１及び２によるパックのバリエーション
【図６】示した形式のパックを製造するための装置の一部の概略立体図
【図７】図６の切断線ＶＩＩ−ＶＩＩに沿った垂直断面図
【図８】図７の矢印ＶＩＩＩに応じた注視方向で見た装置の側面図
【図９】図８の領域ＩＸ内の装置の細部の部分的拡大図
【図１０】図６の切断線Ｘ−Ｘに沿った装置の垂直断面図
【図１１】図１０の切断線ＸＩ−ＸＩに沿った装置の垂直断面図
【図１２】図６の切断線ＸＩＩ−ＸＩＩ沿った装置の垂直断面図
【図１３】図１２の切断線ＸＩＩＩ−ＸＩＩＩに沿った装置の垂直断面図
【図１４】図１２の切断線ＸＩＶ−ＸＩＶに沿った装置の垂直断面図
【図１５】図６の領域ＸＶ内の装置の側面図
【図１６】図１５の矢印ＸＶＩに応じた注視方向で見た装置の一部の側面図
【図１７】示した形式のパックを製造するための装置の別の部分の図６に続く概略立体図
【図１８】図１及び２によるパックの別のバリエーション
【図１９】図１及び２によるパックの別のバリエーション
【図２０】図１及び２によるパックの別のバリエーション
【図２１】図１及び２によるパックの別のバリエーション
【図２２】詰め物片の立体図
【図２３】別の詰め物片の立体図
【図２４】詰め物片の別のバリエーションの立体図
【図２５】図２３に応じた詰め物片を有するパックの別のバリエーション
【図２６】図２５の切断線ＸＸＶＩ−ＸＸＶＩに応じたパックの水平断面図
【図２７】別の詰め物片の立体図
【図２８】詰め物片の別のバリエーションの立体図
【図２９】図２７に応じた詰め物片を有するパックの別のバリエーション
【図３０】図２９の切断線ＸＸＸ−ＸＸＸに応じたパックの水平断面図
【図３１】図２３による詰め物片を製造するためのブランク
【図３２】図２７による詰め物片を製造するためのブランク
【図３３】図２の切断線ＸＸＸＩＩＩ−ＸＸＸＩＩＩに沿ったパックの部分的断面図
【発明を実施するための形態】
【００３１】
本発明は、以下でシガレット１１用のパック１０を製造するための装置により説明される。パック１０が、当然シガレット１１とは違うパック内容物を収容するためにも選定され得ることがわかる。
【００３２】
模範的に、本発明は、ヒンジ蓋タイプのパック１０により説明される。このタイプのパックの基本的な構造は、従来技術から公知であり、従って、以下では重要なもしくは特別な要素だけが説明される。
【００３３】
ヒンジ蓋タイプのパック１０は、ボックス部分１２と蓋１３から成る。蓋１３は、旋回可能にボックス部分１２に、即ち後側の線ヒンジの領域に固定されている。ボックス部分１２と蓋１３は、共通のブランクを負い畳むことによって公知のように製造される。
【００３４】
ボックス部分１２内に、この例ではカラー１４が配置され、このカラーは、上に開いたボックス部分１２から突出する。カラー１４は、カラー前壁１５と、それぞれこれに隣接するカラー側壁１６とを有し、これらは、内側でボックス部分１２の相応の壁に、即ちボックス前壁１７と両ボックス側壁１８の領域に当接する。ボックス側壁１８は、慣例通りに、互いにオーバーラップしかつ接着によって互いに結合される折畳みフラップによって構成されている。
【００３５】
更に、ボックス部分１２内には、パック内容物、即ちこの例ではシガレット１１の１つ以上のグループ１９が配置されている。特色は、１つのシガレットグループ１９もしくは複数のシガレットグループ１９が、共にボックス部分１２もしくはパック１０の横断面もしくは内部空間を埋めないことにある。
【００３６】
シガレット１１は、この実施例では、パック１０の内部空間もしくはボックス部分１２の横断面の一部が満たされないような直径を有する。換言すれば、１つもしくは全てのシガレットグループ１９の寸法は、ボックス部分１２の内部空間の寸法と一致しないということである。シガレット１１の直径の代わりに、当然、選択的又は付加的に、パック１０の内部空間内に１つの又は各シガレットグループ１９によって満たされない空所が構成されるように、シガレット１１の数を選択することもできる。
【００３７】
パック１０の内部空間と１つの又は各シガレットグループ１９の異なる寸法を相殺するために、付加的な要素が、パック１０内に配置されている。以下では、この要素が、詰め物片２０と呼ばれる。この詰め物片は、パック内容物（シガレットグループ（１つ以上）と詰め物片（１つ以上））がパック１０を慣例通りに埋めるように、異なる寸法を相殺するために使用される。
【００３８】
詰め物片２０は、示した実施例では、包装材料から、例えば三次元的な物体を成すために包装材料から成るブランクを相応に折り畳むことによって、構成されている。好ましくは、詰め物片２０は、中空体もしくはスリーブとして形成される。しかしながらまた、詰め物片２０を、例えばパック１０の重量を著しく高めない低い密度を有する材料からなる多少中実な物体から構成することも考えられる。
【００３９】
独自の特色は、パック１０において詰め物片２０が１つの又は各シガレットグループ１９と共にインナーラッパー２２に包み込まれていることにある。
【００４０】
直角のパックエッジ２３を有するヒンジ蓋式パック１０を示す図１及び２による実施例の別の特色は、詰め物片２０によって互いに分離された２つのシガレットグループ１９がパック１０内に配置されていることにある。
【００４１】
この例では、両シガレットグループ１９は、同じ大きさであるか、もしくは、同じ数のシガレット１１を備える。シガレットグループ１９が、当然異なる大きさもしくは異なる数のシガレット１１を内容とし得ることがわかる。更に、２つよりも多い又は少ないシガレットグループ１９が設けられ得ることがわかる。相応に、本発明によるパック１０は、また、１つの詰め物片２０しか設けられていないことに限定されているのではなく、複数の詰め物片２０がパック１０内に設けられ得る。
【００４２】
詰め物片２０の数は、シガレットグループ１９の数よりも少ない。選択的に、詰め物片２０の数は、当然、シガレットグループ１９の数と同じでもあり得る。別の選択肢は、シガレットグループ１９の数よりも多い数の詰め物片２０がパック１０内に設けられていることにある。
【００４３】
図１及び２に示した実施例では、両シガレットグループ１９が、それぞれパック１０のコーナー領域に、即ちボックス側壁１８とボックス前壁１７の間の三角形の領域に配置されている。
【００４４】
シガレット１１は、複数の平行な列２４内に配置され、標準位置で互いに位置決めされ、列２４内のシガレット１１の数は、ボックス前壁１７から始まりボックス後壁２１の方向にそれぞれ減少する。この例では、４−３−２−１の編成が行なわれている。
【００４５】
両シガレットグループ１９の編成及び配置に応じて、詰め物片２０は、両シガレットグループ１９の間の中央に配置されている。
【００４６】
詰め物片２０は、この例ではパック１０もしくはボックス部分１２内に直立しているスリーブとして形成されている。
【００４７】
詰め物片２０の形態は、横断面がほぼ梯形に一致する。相応に、詰め物片２０は、４つの壁、即ちそれぞれボックス前壁１７もしくはボックス後壁２１に沿って延在する２つの壁と、その間に延在する斜めに整向された２つの壁２７，２８を備える。
【００４８】
ボックス後壁２１の領域内の壁２６の特色は、この壁が、オーバーラップする２つの折畳みフラップによって構成され、これら折畳みフラップが、このましくは全面的もしくは実質的に全面的に壁２６の面全体にわたってオーバーラップし、互いに結合されていることにある。このようにして、ボックス後壁２１もしくはパック１０の後壁の安定性を高め得る、
【００４９】
既に述べたように、両シガレットグループ１９と詰め物片２０は、１つのシガレットブロック２９を構成するために、共に共通のインナーラッパー２２に包み込まれる。
【００５０】
このようにして構成されたシガレットブロック２９は、ボックス部分１２の横断面もしくはパック１０の内部空間を慣例通り埋める。両シガレットグループ１９は、それぞれ直接的に詰め物片２０に当接し、詰め物片２０は、シガレットグループ１９の全高にわたって延在する。詰め物片２０がより低い高さも備え得ることがわかる。
【００５１】
本発明によるパックの第２の実施例が、図３に示されている。ここでも、それぞれ１０本のシガレット１１を有する２つのシガレットグループ１９と１つの詰め物片２０が設けられている。
【００５２】
この例でも、詰め物片２０は、パック１０もしくはボックス部分１２内の中央に配置され、両シガレットグループ１９を分離する。
【００５３】
図２による実施例に対する第１の相違点は、パック１０がＲ付けされたパックエッジ２３を有するパック１０であることにある。
【００５４】
更に、シガレットグループ１９の編成は、３−２−２−３編成に一致する。
【００５５】
詰め物片２０は、横断面を六角形に形成され、ほぼ同じ長さの２つの壁２５，２６が互いに相対し、ボックス前壁１７もしくはボックス後壁２１に沿って延在する。これら壁は、斜めに整向された４つの壁２７，２８，３０，３１によって互いに結合される。
【００５６】
この例でも、隣接する列２４内のシガレット１１が、標準位置で配置され、ボックス後壁２１の領域内の壁２６が２層式に形成されている。
【００５７】
図４による第３の実施例は、パック１０が斜めに延在するパックエッジ２３を有するパック１０（八角形パック）であることによって、前述の両実施例と異なる。
【００５８】
詰め物片２０は、横断面に、正六角形の形態を有し、それぞれ５つの列２４に１２本のシガレットを有する２つのシガレットグループ１９を分離し、隣接する列２４のシガレット１１は、それぞれ鞍位置で互いに配置されている。
【００５９】
パック１０の第４の実施例は、図５に示されている。この場合、ボックス部分１２内の横に詰め物片２０が配置され、１つのシガレットグループ１９が、ボックス部分１２の内部空間の残部を満たす。
【００６０】
詰め物片２０は、横断面を五角形に形成され、５つの壁２５，２６，２７，２８，３０を有する。ボックス側壁１８の領域内の壁３０が、２層式に形成されている。
【００６１】
シガレットグループ１９は、鞍位置の５−４−４−４−５編成の形態のシガレット１１の５つの列２４から成る。
【００６２】
これまで説明したパック１０が、当然例でしかなく、部分的に既に述べたような変容が可能であることがわかる。特に、詰め物片２０の形態は、説明した形態に限定されているのではなく、１つの又は各シガレットグループの所望の編成に応じた任意の幾何学形状が問題となる。特に、非対称の形態も考えられる。
【００６３】
以下で、図１及び２に示したパック１０の例で、このようなパック１０の製造が説明される。しかしながら、装置は、極僅かな変容をすることによって、図３〜５による又は他のバリエーションのパック１０を製造するためにも適している。
【００６４】
装置の中央機構は、コンベヤ３２であり、このコンベヤ上で、１つの又は各詰め物片２０を有する１つの又は各シガレットグループ１９が、パックに応じた配置で集結される。
【００６５】
この例では、コンベヤ３２は、ポケットチェーンコンベヤの形式で形成され、複数のポケット３３を有し、これらポケットは、コンベヤ３２の周囲に配置されている。ポケット３３は、互いに一定の間隔で配置され、その縦方向の広がりを、コンベヤ３２の搬送方向に対して横に整向されている。当然、ポケット３３は、他の適当なコンベヤ、例えばタレット等に配置することもできる。
【００６６】
図１及び２による製造すべきパック１０に応じて、各ポケット３３は、それぞれ１つの詰め物片２０又は１つのシガレットグループ１９用の複数の収容部３４，３５，３６を備える。
【００６７】
収容部３４，３５，３６は、壁３７，３８によって互いに分離されている。更に、収容部３４，３５，３６は、ポケット３３の壁３９，４０，４１によって外側を画成されている。
【００６８】
収容部３４，３５，３６は、横断面を、それぞれシガレットグループ１９もしくは詰め物片２０の横断面に適合されている。相応に、シガレットグループ１９用の収容部３４及び３６は、横断面をほぼ三角形に形成され、これに対して、詰め物片２０用の収容部３５は、横断面を実質的に梯形に形成されている。
【００６９】
この例では、その後第２のステップでシガレットグループ１９が収容部３４及び３６に挿入される前に、まず詰め物片２０が収容部３５に挿入されるように、構成されている。
【００７０】
コンベヤ３２への詰め物片２０の供給は、別のコンベヤ４３によって行なわれ、この別のコンベヤは、この例では引渡しタレットとして形成されている。
【００７１】
コンベヤ４３は、ポケット４４を有し、これらポケットは、引渡しタレットの周囲に分配配置され、仕上げ織りされた詰め物片２０内へ半径方向に挿入でき、このため、スライド４５が使用される。コンベヤ４３における詰め物片２０の部分的な回動の後、詰め物片２０は、相前後して別のスライド４６によって半径方向にコンベヤ４３から押し出され、コンベヤ３２の隣接するポケット３３内へ挿入される（図７）。
【００７２】
引渡しタレットは、この例では間隔を置いたタレットディスク４７，４８によって構成され、これらタレットディスクの間にスライド４６が配置されている。加えて、２つの引渡しタレット４３が、相並んで配置されているので、同時に２つの詰め物片２０が隣接する２つのポケット３３に挿入され得る。即ち、コンベヤ３２のポケット３３への詰め物片２０の供給は、マルチトラック式の作業方式で行なわれる。
【００７３】
次のステップで、シガレットグループ１９は、ポケット３３もしくはその収容部３４，３６に供給される。
【００７４】
シガレット１１は、シガレットマガジン４９内に貯蔵され、シガレットマガジン４９の下側の領域において、シガレットプランジャ５０によってシガレットグループ１９としてマガジン４９から押し出され、コンベヤ３２の隣接するポケット３３に挿入される。押し出されたシガレットグループ１９は、図２による編成で配置されている。
【００７５】
シガレットグループ１９の挿入に関して、シガレットプランジャ５０が２つのシガレットグループ１９を同時にポケット３３の両収容部３４，３６に挿入することを構成とし得る。しかしながらまた、これは、別個のシガレットプランジャ５０によって行なうこともできる。
【００７６】
好ましくは、ポケット３３へのシガレットグループ１９の供給も、マルチトラック式の作業方式で行なわれる。示した実施例では、それぞれ同時に２つのシガレットグループ１９が、隣接する２つのポケット３３に挿入される。
【００７７】
コンベヤ３２の領域でポケット３３がシガレットグループ１９と詰め物片２０で満たされた後、これらは、後続のコンベヤ５１に引き渡される。
【００７８】
引渡しは、スライド５２によって行なわれ、このスライドは、ポケット３３の内容物、この例では２つのシガレットグループ１９と１つの詰め物片２０を、共に１つの作業段で、隣接するコンベヤ５１の相応に位置決めされたポケット５３に挿入する。この例では、コンベヤ５１は、周囲に複数のポケット５３が配置された引渡しタレットとして形成されている。ここでも、当然、他の解決策が可能である。
【００７９】
スライド５２の特色は、このスライドが、ポケット３３のそれぞれ１つの収容部３４，３５，３６に対応付けされた複数のスライド要素５４，５５，５６から構成されていることにある。スライド要素５４，５５，５６は、ポケット３３外で、結合要素５７，５８，５９を介して、共に移動可能な１つのユニット（スライド５２）に結合されている。
【００８０】
第１の特色は、ポケット３３の壁が、スリット状の切欠き６０，６１，６２を備え、これら切欠きを経て、結合要素５７，５８，５９が延在する。相応に、切欠き６０，６１，６２は、ポケット３３の全長にわたって一貫して延在する。
【００８１】
収容部３４，３６の領域内の切欠き６０，６２の幅は、この幅が、収容部３４，３６内に存在するシガレット１１の直径よりも小さいように寸法設定されている。このようにして、シガレット１１が切欠き６０，６２を経てポケット３３外に達し得ることを防止することができる（図１１）。
【００８２】
切欠き６０，６１，６２は、それぞれポケット３３の上側の領域、即ち壁４２の領域に形成されている。
【００８３】
別の特色は、詰め物片２０の確実な押出しを保証すべき措置に関する。スリーブとして形成された詰め物片２０は、収容部３５内に縦方向に延在して、即ち、詰め物片が、その端面の領域をスライド５２もしくは中央のスライド要素５５によって把持され得るように、配置されている。しかしながらスリーブは、端面の領域において大部分が開放しているので、スライド５５用の接触面としては、スリーブのシェルの比較的薄い周縁だけが、使用可能である。従って、詰め物片２０がスライド５２によって規則的に把持され得ないとの危険がある。
【００８４】
この問題を解決するために、スライド５２は、詰め物片２０の外部輪郭を超えて横に、即ち押出し方向に対して横に突出する。
【００８５】
具体的には、これは、この例では、スライド５２もしくはスライド要素５５が、ノーズ状の部分６３を備え、これら部分によって、スライド５２もしくはスライド要素５５が詰め物片２０の輪郭を超えて突出するようにして、解決されている。
【００８６】
部分６３の配置に応じて、壁３７，３８，４０，４２に対応する凹部６４が形成され、これら凹部に、部分６３が入り込む。相応に、凹部６４は、一貫した溝状のノッチとして前記壁の内側に形成されている。
【００８７】
スライド５２の移動軌道が、図１２に示されている。相応に、スライド５２は、コンベヤ５１のポケット５３へのパック内容物の挿入後、まず上に向かって移動され、その後引き戻され、下方移動によって初期位置に移動される。
【００８８】
ポケット３３の押出側の終端とポケット５３の間の間隔は、ガイド６５によって橋渡しされ、このガイドは、マウスピースの形式で形成されていてもよい。
【００８９】
図６が示すように、コンベヤ３２からコンベヤ５１へのパック内容物の引渡しも、互いに結合された（２つの）スライド５２によってマルチトラック式の作業方式で行なわれる。当然、シングルトラック式の作業方式も考えられる。
【００９０】
コンベヤ５１から、パック内容物は、シガレットトラック６６に引き渡される。これは、別のコンベヤ６７によって行なわれ、このコンベヤには、外側にプッシャ６８が回動するように配置されている。プッシャ６８は、スライドプレートを有し、これらスライドプレートは、コンベヤ５１のポケット５３内に突入し、それぞれ１つのパック内容物を押し出し、シガレットトラック６６に沿って移送する（図１５及び１６）。
【００９１】
別の特色は、搬送中のシガレットグループ１９と詰め物片２０の整向に関する。これらは、コンベヤ３２に縦軸方向に、即ちその縦方向の延在が移送方向に対して平行に向くように、供給される。コンベヤ３２から次のコンベヤ５１への引渡しも、相応に行なわれる。同じことが、コンベヤ５１からシガレットトラック６６への引渡しについても当て嵌まる。この形式の入替えが、強制的に完全に実現される必要があるのではなく、いくつか又は１つの引渡しステップしかこのようにして行なわなくてもよいことがわかる。
【００９２】
シガレットトラック６６に沿った更なる搬送中にパック内容物は、このパック内容物がマウスピース７０に導入されるまで、示してないガイドによって編成を保たれる。マウスピース７０に続き、２つのシガレットグループ１９と１つの詰め物片２０から成るパック内容物は、インナーラッパー２２に包み込まれ、こうしてシガレットブロック２９が構成される。これは、従来技術から公知の方式で行なわれる。
【００９３】
これに続き、カラー７１は、横向きのカラートラック７２を介して供給し得る。カラー７１は、連続した材料ウェブ７３からカッターロール７４によって分離し得る。
【００９４】
ステージ７５の領域で、シガレットブロック２９とカラー７１は、上下に位置決めされ、挿入スライド７６によって、次の折畳みタレット７８のポケット７７内にもしくはその中に存在する部分的に折り畳まれたパック１０用のブランク７９内に挿入される。
【００９５】
更に、図１７は、カラー７１用の折畳みディバータ８０と、ポケット７７にカラー７１とシガレットブロック２９を押し込むための機構８１も示す。
【００９６】
折畳みタレット７８の更なる回動中に、パック１０もしくはブランク７９は、折畳みよって完成され、完成したパック１０の重要な部分が押し出される。図１７は、パック１０の狭幅側壁の領域内の折畳みフラップが、未だ互いに結合されていないことを示す。これは、折畳みタレット７８に続いて行ない得る。
【００９７】
図１８〜２１は、図１〜５に示したパック１０のバリエーションを示す。この場合、図１８に示したパック１０は、図１及び２に示したパック１０のバリエーションである。図１９は、図３に示したパック１０のバリエーションを示す。図２０は、図４に示したパック１０のバリエーションを示す。図２１は、図５に示したパック１０のバリエーションを示す。
【００９８】
図１８〜２１による４つ全てのバリエーションにおいて、パック１０は、詰め物片２０がカラー１４によって少なくとも部分的に覆われることによって、図１〜５による相応のパックと異なる。
【００９９】
より正確に言うと、ボックス前壁１７の方に向いた壁２５は、カラー１４によってそれぞれ覆われる。
【０１００】
これは、パック１０からのシガレット１１の取出しを容易化するためのカラー前壁１５内の慣用の切欠き８２が、図１に示したように、実質的にカラー前壁１５の幅全体にわたって延在するのではなく、切欠き８２が詰め物片２０の位置に対して横に位置をずらして配置されており、これにより、カラー前壁１５が、切欠き８２外で詰め物片２０の壁２５を覆うことによって、可能にされる。
【０１０１】
詰め物片２０がボックス部分１２内で中央に配置されている図１８〜２０によるパック１０の場合、それぞれ２つの切欠き８２が、詰め物片２０の両側に配置されている。詰め物片２０がボックス部分１２内の横に配置されている図２１によるパック１０の場合には、詰め物片に対して横に位置をずらして配置された１つの切欠き８２しか設けられていない。
【０１０２】
１つの又は各切欠き８２は、カラー前壁１５の残っている残部が、正確に詰め物片２０の壁２５の幅及び高さに一致するように寸法設定し得る。しかしながらまた、幅が、詰め物片２０の壁２５の相応の寸法よりも大きいことも考えられる。
【０１０３】
図２２は、図１，２及び１８に示したパック１０による詰め物片２０のバリエーションを示す。この場合、１つ又は複数の壁２７，２８に、型打ち切込み８３が設けられ、これら型打ち切込みが、それぞれ１つのタブ８４を画定する。
【０１０４】
それぞれ複数のタブ８４が、上下にかつ互いに間隔を置いて壁２７，２８に形成されている。
【０１０５】
型打ち切込み８３は、Ｕ字状に形成されている。
【０１０６】
型打ち切込み８３によって構成されるタブ８４は、詰め物片２０の安定性を高めるために、それぞれの壁２７，２８に対して横に折り畳まれる。好ましくはタブ８４は、詰め物片内へ折り畳まれる。
【０１０７】
型打ち切込みもしくはタブ８４の数及び／又は寸法及び／又は位置決めが、それぞれの個々の例の要求に応じて選択され得ることがわかる。
【０１０８】
更に、型打ち切込みもしくはタブ８４が、詰め物片２０の一方の壁２７，２８だけ又は複数の壁に設けられ得ることが考えられる。例えば、壁２６にも型打ち切込み８３もしくはタブ８４が設けられ得ることが考えられる。
【０１０９】
前で図１，２及び１８によるパック１０の詰め物片２０に関係して説明した解決策は、当然意味通りに、詰め物片２０の他のバリエーションにも、特に本願で示した他のバリエーションにも転用可能である。
【０１１０】
特別な方式で詰め物片に適合させたカラー１４を有する前記のパック１０は、独自の特色である。これは、詰め物片２０の最後に説明したバリエーションにも当て嵌まる。
【０１１１】
図２３〜２６には、シガレット１１用のパック１０の別のバリエーションが示されている。これまで説明した大抵のバリエーションでのように、２つ（以上）のシガレットグループ１９は、詰め物片２０と共にインナーラッパー２２によって包囲されている。この場合、詰め物片２０は、両シガレットグループ１９の間の中央に配置されている。好ましくは、両シガレットグループ１９は、例えば同じ数のシガレット１１を備える。
【０１１２】
特色は、実質的にシガレットブロック２９もしくはボックス後壁２１の幅全体にわたって延在する詰め物片２０に関してある。このようにして、詰め物片２０は、両側を、相対するボックス側壁１８に支持でき、これにより、詰め物片２０の位置が固定される。
【０１１３】
更に、詰め物片２０は、カラー前壁１５もしくはボックス前壁１７の方向にも延在し、これら壁にも支持される。
【０１１４】
詰め物片２０は、ブランク８５を相応に折り畳むことによって構成される。このため、ブランク８５に、折畳み線と型打ち切込みが設けられ、これらに沿って、ブランク８５の相応の壁が折り畳まれる。ここでは、まず、ブランク８５の高さ全体にわたって延在しかつそれぞれ１つの周縁側の折畳みフラップ８７を画成する２つの折畳み線８６を挙げることができる。折畳みフラップ８７は、それぞれ１つの自由な横の周縁でもってそれぞれのボックス側壁１８に支持される。
【０１１５】
ブランク８５の両折畳み線８６の間に位置する部分は、３次元的な詰め物体８８を成すために使用され、この詰め物体は、両シガレットグループ１９の間に配置され、両シガレットグループの間の空間を実質的に満たす。
【０１１６】
詰め物体８８は、この例では、横断面を矩形に形成され、２つの側壁８９を有し、これら側壁は、ボックス後壁２１から始まりボックス前壁１７の平面まで延在し、実質的にこれらに対してもしくは折畳みフラップ８７に対して垂直に整向されている。更に、詰め物体８８は、前壁９０を有し、この前壁は、両側壁８９を結合し、ボックス前壁１７に対して平行に延在する。
【０１１７】
特色は、詰め物体８８がシガレットグループ１９及び／又はボックス部分１２の高さ全体にわたって一貫して延在するのではなく、ブランク８５の壁９３が、領域的に折畳みフラップ８７の平面内に折り畳まれていることにある。このため、ブランク８５は、一方で、水平な型打ち切込み９１を備え、並びに、壁９３の相応の位置決めを可能にする付加的な折畳み線９２を備える。
【０１１８】
この場合、上の型打ち切込み９１は、カラー１４の切欠き８２の領域内のカラー前壁１５の上エッジの高さのところか極僅かその上に配置されている。
【０１１９】
ブランク８５は、図２３に示したように、壁９３が折畳みフラップ８７の平面内に位置し、従って、この領域で、詰め物片２０が、実質的にボックス部分１２の幅全体にわたって一貫して形成されているように、折り畳まれる。このようにして詰め物片２０は、相応の方向に補強される。
【０１２０】
図２３による実施例では、壁９３が、それぞれブランク８５の上及び下の周縁領域に存在する。上の周縁領域において、これは、シガレット１１の取出しが簡単化されるとの利点も有する。側壁８９の折り畳まれた脚９４により、これら側壁は、壁９３の高さのところで、カラー前壁１５に対して間隔を置いて終了するので、特に、詰め物体８８に隣接するシガレットグループ１９の前側のコーナー領域内のシガレット１１は、容易に把持及び取り出し得る。
【０１２１】
図２４に示した詰め物片２０は、２つの壁９３が詰め物片２０の上側及び下側に対して間隔を置いて設けられている図２３に示した詰め物片のバリエーションである。この解決策の場合は、シガレット１１の容易な取出しの利点が省略される。
【０１２２】
図２７〜３０には、図２３〜２６に示した解決策のバリエーションが示され、このバリエーションの場合は、詰め物片２０の詰め物体８８が、梯形の横断面を備える。
【０１２３】
この場合、壁９３を構成する梯形の基礎部は、ボックス後壁２１に沿って配置され、これに対して、前壁９０を構成する、相対する短い方の基礎側は、カラー前壁１５及び／又はボックス前壁１７に沿って延在する。
【０１２４】
側壁８９を構成する梯形の両脚は、ボックス後壁２１から始まり収束するように空前壁１５もしくはボックス前壁１７の方向に延在する。
【０１２５】
詰め物体８８の横断面形状に基づいて、脚９４は、図２３〜２６によるバリエーションの場合よりも明らかに短く形成されている。
【０１２６】
図３２は、図３１の図に応じたブランク８５を示す。
【０１２７】
詰め物片２０を固定するための別の可能性は、図３３に示されている。従って、ボックス後壁２１の側の詰め物片２０の壁２６は、ボックス後壁２１の内側と接着される。
【０１２８】
このため、インナーラッパー２２の材料に開口９５が提供される。これは、例えば、インナーラッパー２２の材料の相応の型打ち、穿孔等によって行ない得る。好ましくはこれは、この場合にインナーラッパー２２の材料が開口９５の領域で完全に分離されるのではなく、残りの結合部を中心として折り畳まれるように、行なわれる。
【０１２９】
詰め物片２０を固定するための糊９６は、ボックス後壁２１か詰め物片２０のいずれかに塗布でき、場合によっては、接合後に（再）活性化できる。
【０１３０】
パック１０への詰め物片２０の固定が、他の側壁の領域で、場合によっては付加的に後側の領域での固定のためにも行なわれることも考えられる。
【符号の説明】
【０１３１】
１０    パック
１１    シガレット
１２    ボックス部分
１３    蓋
１４    カラー
１５    カラー前壁
１６    カラー側壁
１７    ボックス前壁
１８    ボックス側壁
１９    シガレットグループ
２０    詰め物片
２１    ボックス後壁
２２    インナーラッパー
２３    パックエッジ
２４    列
２５    壁
２６    壁
２７    壁
２８    壁
２９    シガレットブロック
３０    壁
３１    壁
３２    コンベヤ
３３    ポケット
３４    収容部
３５    収容部
３６    収容部
３７    壁
３８    壁
３９    壁
４０    壁
４１    壁
４２    壁
４３    コンベヤ
４４    ポケット
４５    スライド
４６    スライド
４７    タレットディスク
４８    タレットディスク
４９    シガレットマガジン
５０    シガレットプランジャ
５１    コンベヤ
５２    スライド
５３    ポケット
５４    スライド要素
５５    スライド要素
５６    スライド要素
５７    結合要素
５８    結合要素
５９    結合要素
６０    切欠き
６１    切欠き
６２    切欠き
６３    部分
６４    凹部
６５    ガイド
６６    シガレットトラック
６７    コンベヤ
６８    プッシャ
６９    スライドプレート
７０    マウスピース
７１    カラー
７２    カラートラック
７３    材料ウェブ
７４    カッターロール
７５    ステージ
７６    挿入スライド
７７    ポケット
７８    折畳みタレット
７９    ブランク
８０    折畳みディバータ
８１    機構
８２    切欠き
８３    型打ち切込み
８４    タブ
８５    ブランク
８６    折畳み線
８７    折畳みフラップ
８８    詰め物体
８９    側壁
９０    前壁
９１    型打ち切込み
９２    折畳み線
９３    壁
９４    脚
９５    開口
９６    糊
【図１】
0006600650.tif 000002
【図２】
0006600650.tif 000003
【図３】
0006600650.tif 000004
【図４】
0006600650.tif 000005
【図５】
0006600650.tif 000006
【図６】
0006600650.tif 000007
【図７】
0006600650.tif 000008
【図８】
0006600650.tif 000009
【図９】
0006600650.tif 000010
【図１０】
0006600650.tif 000011
【図１１】
0006600650.tif 000012
【図１２】
0006600650.tif 000013
【図１３】
0006600650.tif 000014
【図１４】
0006600650.tif 000015
【図１５】
0006600650.tif 000016
【図１６】
0006600650.tif 000017
【図１７】
0006600650.tif 000018
【図１８】
0006600650.tif 000019
【図１９】
0006600650.tif 000020
【図２０】
0006600650.tif 000021
【図２１】
0006600650.tif 000022
【図２２】
0006600650.tif 000023
【図２３】
0006600650.tif 000024
【図２４】
0006600650.tif 000025
【図２５】
0006600650.tif 000026
【図２６】
0006600650.tif 000027
【図２７】
0006600650.tif 000028
【図２８】
0006600650.tif 000029
【図２９】
0006600650.tif 000030
【図３０】
0006600650.tif 000031
【図３１】
0006600650.tif 000032
【図３２】
0006600650.tif 000033
【図３３】
0006600650.tif 000034